(57)【要約】【課題】印字されたロール紙の破損、紛失を防止するとともに、ロール紙の印字を読みやすくする。【解決手段】ロール紙１８が用いられるプリンター１０が設けられた火災受信機１のプリンターカバー１６であって；前記プリンターカバー１６は、前記火災受信機１の盤面３にガイド隙間Ｇを介して固定され、かつ、前記プリンター１０の取出口１２から垂れ下がるロール紙１８を覆う透明板状部材２０を備えている。【選択図】図３
2007172496.tif 000002
【特許請求の範囲】
【請求項１】
ロール紙が用いられるプリンターが設けられた火災報知設備用機器のプリンターカバーであって；
前記プリンターカバーは、前記火災報知設備用機器の盤面にガイド隙間を介して固定され、かつ、前記プリンターの取出口から垂れ下がるロール紙を覆う透明板状部材を備えていることを特徴とする火災報知設備用機器のプリンターカバー
【請求項２】
ロール紙が用いられるプリンターが設けられた火災報知設備用機器のプリンターカバーであって；
前記プリンターカバーは、前記火災報知設備用機器の盤面の前記プリンターの部分から前記盤面下端に至る形状の透明板状部材と、前記透明板状部材に固着された止着部材と、により構成され、
前記プリンターカバーを、前記止着部材によって前記盤面に着脱可能に取り付けて、前記透明板状部材と前記盤面とのガイド隙間に前記ロール紙を通すことを特徴とする火災報知設備用機器のプリンターカバー
【請求項３】
前記透明板状部材の下方に、前記ガイド隙間を通過したロール紙を貯留する収容部を設けたことを特徴とする請求項１、又は、2記載の火災報知設備用機器のプリンターカバー
【発明の詳細な説明】
【技術分野】
【０００１】
この発明は、ロール紙が用いられるプリンターが設けられた火災報知設備用機器に関するもので、更に述べると、火災報知設備用機器のプリンターカバーに関するものである。
【背景技術】
【０００２】
火災報知設備用機器、例えば、火災受信機では、定期的に受信機から各端末に試験信号を送出し、該端末の機能が正常であるか否か等の自動試験を行っている。この自動試験により試験異常となった場合には、試験異常の内容を記録又は保持することが義務づけられている。
【０００３】
そのため、受信機には、ロール紙に印字するプリンターが設けられており、試験結果が正常であれば、「試験の年月日時刻」と「正常」をロール紙にプリントアウトし、又、試験結果が異常であれば、「試験の年月日時刻」と「異常」がプリントアウトされ、更に、異常内容もプリントアウトされる（例えば、特許文献１，２，３、参照）。
【０００４】
なお、前記自動試験の結果の他、不定期的に発生する端末機器の状態変化もプリントアウトされるのが一般的である。
【０００５】
【特許文献１】実用新案登録第２５２８１５１号
【特許文献２】特開平９−２１２７７３号公報
【特許文献３】特開２００４−５４６９１号公報
【発明の開示】
【発明が解決しようとする課題】
【０００６】
従来例では、印字されたロール紙は、火災受信機の盤面に沿って垂れ下がるが、このロール紙は、定期検査時等に点検員により切り取られる。例えば、自動試験の結果が1週間おきに２桁づつ印字され、点検員が半年ごとに点検作業を実施したときに、該ロール紙が切り取られる。
【０００７】
そのため、火災受信機がマンション等の共用部分に設置されている場合には、子供等がいたずらしてロール紙を引っ張ったり、紙送りボタンを押すなどして、印字したロール紙を破損させたり、又は、紛失させたりすることがある。
【０００８】
又、プリンターの取出口から送り出されるロール紙は、丸まってしまい、点検員が印字内容をすぐに確認できないことがある。
【０００９】
この発明は、上記事情に鑑み、ロール紙の破損、紛失を防止するとともに、ロール紙の印字を読みやすくすることを目的とする。
【課題を解決するための手段】
【００１０】
この発明は、ロール紙が用いられるプリンターが設けられた火災報知設備用機器のプリンターカバーであって；前記プリンターカバーは、前記火災報知設備用機器の盤面にガイド隙間を介して固定され、かつ、前記プリンターの取出口から垂れ下がるロール紙を覆う透明板状部材を備えていることを特徴とする。
【００１１】
この発明は、ロール紙が用いられるプリンターが設けられた火災報知設備用機器のプリンターカバーであって；前記プリンターカバーは、前記火災報知設備用機器の盤面の前記プリンターの部分から前記盤面下端に至る形状の透明板状部材と、前記透明板状部材に固着された止着部材と、により構成され、前記プリンターカバーを、前記止着部材によって前記盤面に着脱可能に取り付けて、前記透明板状部材と前記盤面とのガイド隙間に前記ロール紙を通すことを特徴とする。
【００１２】
この発明の透明板状部材の下方には、前記ガイド隙間を通過したロール紙を貯留する収容部が設けられていることを特徴とする。
【発明の効果】
【００１３】
この発明は、以上のように構成されているので、印字されたロール紙はガイド隙間で伸ばされながら垂下する。そのため、点検員は、容易に印字を読むことが出来る。又、ロール紙はプリンターカバーにより覆われているので、該ロール紙を引っ張ることができない。従って、子供等のいたずらに起因する、ロール紙の破損、紛失を防止することが出来る。
【発明を実施するための最良の形態】
【００１４】
この発明の実施形態を図１〜図４により説明する。
火災報知設備用機器の一例としての、火災受信機１は、壁掛け型受信機であり、マンションの共有部分等の壁面に固定されている。この受信機1の鉄製の盤面（筐体盤面）３には、表示部５が設けられ、その下部には、音響装置７と操作部９が水平方向に間隔をおいて配設されている。
【００１５】
この操作部９の下部には、プリンター１０が設けられているが、このプリンター１０の取出口１２は、前記盤面３の下端３ａから所定間隔、例えば、３０cm〜４０cm、離れている。プリンター１０の右側近傍には、紙送りボタン１４が設けられている。
【００１６】
前記プリンター１０には、プリンターカバー１６が設けられている。このプリンターカバー１６は、ロール紙１８を被う透明板状部材２０と、該透明板状部材２０を盤面３に固定する止着部材２２と、該透明板状部材２０の下方に設けられた収容部２４と、を備えている。
【００１７】
透明板状部材２０は、長方形状に形成された、透明なアクリル板であり、プリンター１０の取出口１２及び紙送りボタン１４を被える幅の短辺と、プリンター１０の上方から盤面３の下端３ａに達する長さの長辺と、を備えてており、その厚さｗは、静電気の発生を防止するために、例えば、２mm〜３mmに形成されている。
【００１８】
前記透明板状部材２０の形状、大きさ、厚さ、強度等は、必要に応じて適宜選択される。
【００１９】
透明板状部材２０の内面２０ａ上端部及び両側部には、止着部材２２が設けられている。この止着部材２２として、長方形状の磁石が用いられているが、必ずしも、これに限定されるものではなく、例えば、両面テープ、接着剤、ねじ等を用いても良い。
【００２０】
この止着部材２２の長さ、厚さ、形状、配設位置、等は、必要に応じて適宜選択される。前記磁石２２の厚さは、例えば、２mm〜３mm、に形成されるが、この磁石２２の厚さにより、火災受信機１の盤面３と透明板状部材２０との離間距離、即ち、ガイド隙間G、の大きさが決まるので、この磁石２２は、ガイド隙間Gの形成手段ともなっている。このガイド隙間Ｇの大きさは、ロール紙１８が垂直状態となりながら円滑に降下できるような範囲内で、適宜選択される。
【００２１】
収容部２４は、ガイド隙間Ｇを通過したロール紙１8を貯留する箱体であり、透明板状部材２０の内面２０ａ側に突出している。この収容部２４の大きさ、形状等は、必要に応じて適宜選択される。
【００２２】
次に、本実施の形態の作動について説明する。
火災受信機１の盤面３に、プリンターカバー１６の磁石２２を吸着させて固定し、透明板状部材２０でプリンター10、紙送りボタン１４を被う。
【００２３】
この時、盤面3と透明板状部材２０の内面２０ａとの間には、ガイド隙間Gが発生する。このガイド隙間Gの間隔ｔは、前記磁石２２の厚さと同一となり、例えば、２mm〜３mm、となる。
【００２４】
プリンター10から印字されたロール紙１８が打ち出されると、該ロール紙１８は、ガイド隙間G内を降下する。この時、該ロール紙１８は、図4に示すように、透明板状部材２０の内面２０ａに表面１８ａ側を当接させ、その先端部１８ｂを盤面３に当接させながら降下するので、いわゆる伸ばされて垂直状となりながら降下する。
【００２５】
そのため、点検員は、透明板状部材２０を透過して垂直状のロール紙１８を見ることが出来るので、印字された文字を容易に読むことが出来る。
又、プリンターカバー１６は、ロール紙１８、紙送りボタン１４を覆っているので、ロール紙１８を引っ張ったり、紙送りボタン１４を押したりすることができない。そのため、子供等のいたずらを防止することが出来る。
【００２６】
前記ガイド隙間G内で垂れ下がっているロール紙18は、盤面３の下方まで垂下すると、収容部２４に貯留される。この収容部２４は、壁掛け型受信機の場合には、壁面に筐体を露出して設けられているので、該筐体の下に配設することにより、筐体厚みと同じ厚さの収容部を設けることが出来るので、該収容部を設けても盤面から大きく突出することがない。
【００２７】
点検員が、点検時にロール紙１８を切り取る場合には、透明板状部材２０を手で掴んで手前に引く。そうすると、磁石２２が盤面３から離れプリンターカバー１６が盤面３から外れ、プリンター１０、及び印字済みのロール紙が露出する。この状態でロール紙１８を切り取る。
【００２８】
この発明の実施の形態は、上記に限定されるものではなく、例えば、火災受信機として、壁掛け型の他、埋込型又は自立型受信機を用いることができる。なお、埋込型、又は、自立型の場合には、筐体の厚みの一部が、壁面内に埋設、又は、架台上に設けられるので、収容部は、ロール紙を貯留できるように、必要な厚み分だけ、盤面前方側に突出するように、透明板状部材に連結される構成となる。
又、この発明は、火災受信機以外の火災報知設備用機器に用いることもできる。
【図面の簡単な説明】
【００２９】
【図１】本発明の実施の形態を示す図で、プリンターカバーの平面図である。
【図２】図１の側面図である。
【図３】使用状態を示す斜視図である。
【図４】図3のIII−III線断面図の一部を示す拡大断面図である。
【符号の説明】
【００３０】
１    火災受信機
３    盤面
１０  プリンター
１２  取出口
１６  プリンターカバー
１８  ロール紙
２０  透明板状部材
２２  止着部材
２４  収容部
【図１】
2007172496.tif 000003
【図２】
2007172496.tif 000004
【図３】
2007172496.tif 000005
【図４】
2007172496.tif 000006